(57)【要約】【課題】使用に際し塗布体が良好に回転し綺麗な線を描くことができる塗布体付き化粧料容器を提供することを課題とする。【解決手段】容器１内に収容された液状化粧料を毛細管現象を発現する中継芯４を介して容器先端に送り、容器先端の出口２ｘに回転可能に配置されると共に中継芯４に外周面５ｂが接触する塗布体５の回転に従い、液状化粧料を被塗布部へ塗布可能な塗布体付き化粧料容器１００であって、中継芯４の塗布体５と接触する部分４ａを、塗布体５の回転を妨げない程度にほぐし、且つ、塗布に十分な量の液状化粧料を塗布体５へ毛細管現象で送ることができるようなほぐし状態とする。【選択図】図３
2018000610.tif 000002
【特許請求の範囲】
【請求項１】
容器内に収容された液状化粧料を毛細管現象を発現する中継芯を介して容器先端に送り、前記容器先端の出口に回転可能に配置されると共に前記中継芯に外周面が接触する塗布体の回転に従い、前記液状化粧料を被塗布部へ塗布可能な塗布体付き化粧料容器であって、
前記中継芯の前記塗布体と接触する部分は、ほぐされた状態であることを特徴とする塗布体付き化粧料容器。
【請求項２】
前記中継芯のほぐされた状態の部分の軸線方向長さは、１．５ｍｍ〜２．５ｍｍであることを特徴とする請求項１記載の塗布体付き化粧料容器。
【請求項３】
前記塗布体は、円盤状であることを特徴とする請求項１又は２記載の塗布体付き化粧料容器。
【発明の詳細な説明】
【技術分野】
【０００１】
本発明は、塗布体付き化粧料容器に関する。
【背景技術】
【０００２】
従来、塗布体付き化粧料容器として、容器内に収容された液状化粧料を毛細管現象を発現する中継芯を介して容器先端に配置された塗布体に送り、当該塗布体により液状化粧料を塗布するものが知られている。以下の特許文献１に記載の塗布体付き化粧料容器は、塗布体を、中継芯に接触する円盤状の塗布体として容器先端の出口に回転可能に配置し、この円盤状の塗布体が被塗布部への塗布の際に回転することによって、綺麗な線を描けるようになっている。
【先行技術文献】
【特許文献】
【０００３】
【特許文献１】特許第５５６６５１８号公報
【発明の概要】
【発明が解決しようとする課題】
【０００４】
ここで、中継芯からの液状化粧料を円盤状の塗布体の外周面に確実に転写すべく、中継芯の先端面と塗布体の外周面とを強く接触させると、塗布体が回転し難くなる。従って、使用に際し塗布体の良好な回転を担保できる構成が求められている。
【０００５】
そこで、本発明は、使用に際し塗布体が良好に回転し綺麗な線を描くことができる塗布体付き化粧料容器を提供することを目的とする。
【課題を解決するための手段】
【０００６】
本発明による塗布体付き化粧料容器は、容器内に収容された液状化粧料を毛細管現象を発現する中継芯を介して容器先端に送り、容器先端の出口に回転可能に配置されると共に中継芯に外周面が接触する塗布体の回転に従い、液状化粧料を被塗布部へ塗布可能な塗布体付き化粧料容器であって、中継芯の塗布体と接触する部分は、ほぐされた状態であることを特徴としている。
【０００７】
このような塗布体付き化粧料容器によれば、毛細管現象を発現する中継芯の塗布体と接触する部分が、ほぐされた状態となっている。ここで、ほぐされた状態とは、当該部分が、塗布体の回転を妨げない程度にほぐれており、且つ、塗布に十分な量の液状化粧料を塗布体へ毛細管現象で送ることができる状態をいう。このため、使用に際し塗布体が良好に回転し綺麗な線を描くことができる。
【０００８】
ここで、中継芯のほぐされた状態の部分の軸線方向長さは、１．５ｍｍ〜２．５ｍｍであるのが好ましい。このような構成を採用した場合、塗布体は良好に回転し、且つ、ほぐされた状態の部分の毛細管力は良好で塗布に十分な量の液状化粧料を塗布体へ送ることができる。
【０００９】
また、上記作用・効果を最も好適に奏する塗布体としては、具体的には、円盤状が挙げられる。
【発明の効果】
【００１０】
このように本発明によれば、使用に際し塗布体が良好に回転し綺麗な線を描くことができる塗布体付き化粧料容器を提供することができる。
【図面の簡単な説明】
【００１１】
【図１】本発明の実施形態に係る塗布体付き化粧料容器の外観を示す斜視図である。
【図２】図１の状態からキャップを取り外した状態を示す斜視図である。
【図３】図２の要部の縦断面図である。
【図４】図３中の中継芯を示す斜視図である。
【図５】中継芯の先端部の繊維の状態を示す写真図である。
【図６】中継芯の後端部の繊維の状態を示す写真図である。
【発明を実施するための形態】
【００１２】
以下、本発明による塗布体付き化粧料容器の好適な実施形態について図１〜図６を参照しながら説明する。図１は、本発明の実施形態に係る塗布体付き化粧料容器の外観を示す斜視図、図２は、キャップを取り外した斜視図、図３は、要部の縦断面図、図４は、中継芯を示す斜視図、図５は、中継芯の先端部の繊維の状態を示す写真図、図６は、中継芯の後端部の繊維の状態を示す写真図である。本実施形態の塗布体付き化粧料容器は、液状化粧料を被塗布部である皮膚等に塗布する際に用いられるものであり、特に、アイライナーのように瞼に細い線を描いたり、アイブロウのように眉毛の細い線を描くのに好適なものである。
【００１３】
図１〜図３に示すように、塗布体付き化粧料容器１００は、容器を構成する容器本体１及び先筒２と、容器本体１内に収容された中綿３と、容器本体１及び先筒２内に収容された中継芯４と、先筒２の先端に装着された塗布体５と、塗布体５を覆うように容器本体１に着脱可能に装着されたキャップ１０と、を概略備える。
【００１４】
容器本体１は、例えばＰＰ等から形成され、図２及び図３に示すように、先細の段付き円筒状に構成される。容器本体１は、その段差部１ａより後側の筒孔に、液状化粧料を含浸した例えばポリエステル等から成る中綿３を収容すると共に、その後端の開口が、尾栓７を装着することにより閉じられている。
【００１５】
先筒２は、例えばＰＰ等から形成され、後半部２ａが円筒状に構成されると共に、これより前側が扁平筒状部２ｂとされる。扁平筒状部２ｂは、円筒状の後半部２ａに対し段差部２ｃを介して外面が拡径されて横断面（軸線方向に直交する断面）略長方形の四角筒形状を呈すると共に、この横断面四角筒形状の長径側及び短径側の外面の両方が先端へ行くに従い多少内側に湾曲しながら小さくなっていき扁平形状となる先細り形状とされている。この扁平筒状部２ｂの扁平な筒孔と後半部２ａの円形の筒孔とは、扁平な筒孔の後端の長径側の径と円形の筒孔の径とが一致し、扁平な筒孔の後端の短径側が、図３に示すように、段差部２ｇを介して円形の筒孔に繋がる構成となっている。この段差部２ｇは、中継芯４の前進を阻止するものとして機能する。
【００１６】
先筒２の後半部２ａには、径方向視において（図３における上下方向視において）コの字状を成し内外を連通する切欠２ｉを設けることにより、バネ部２ｈが形成される。バネ部２ｈは、中継芯４の後退を阻止するためのものであり、図示左側を先端部とすると共に図示右側を片持ち支持することで径方向に弾性を有し、対向するように一対が設けられる。
【００１７】
図２及び図３に示すように、先筒２の先端の開口２ｘが容器出口とされ、開口縁の短径側（図３の上下方向）に、長径側の開口縁２ｄよりも前方へ突出する突出部２ｅを、一対対向して備える。突出部２ｅには、塗布体５を回転可能に支持するための支持穴２ｆが短径方向に貫くようにそれぞれ設けられる。
【００１８】
塗布体５は、液状化粧料を被塗布部に塗布するためのものであり、例えばＡＢＳ等から形成され、円盤状に構成される。この円盤状の塗布体５は、その軸心の位置に、軸線方向外側へ突出する軸部５ａをそれぞれ備える。円盤状の塗布体５の外周部の厚みは、例えばアイライン等の細い線を描くのに好適な厚みとされている。なお、塗布体５の形状は、これに限定されるものではなく、要は、円盤状であれば良い。塗布体５は、その軸部５ａが先筒２の支持穴２ｆに進入することにより、先筒２の出口２ｘに配置され先筒２に回転可能に支持される。
【００１９】
中継芯４は、毛細管現象を発現するものであり、図３及び図４に示すように、先筒２の筒孔に対応する（合致する）形状を呈する。中継芯４において先筒２の段差部２ｇに突き当てられることになる段差部４ｄより先端側の部分は扁平形状の扁平形状部４ｘとされ、段差部４ｄより後側が断面円形の丸棒状とされて後方へ延在する。中継芯４の扁平形状部４ｘの先端部４ａは、塗布体５に接触するための部分であり、中継芯４の後部側の部分は、中綿３に進入するための部分である。この中綿３に進入する部分の後部側は、中綿３に進入しやすくすべく截頭円錐台形状の截頭円錐台部４ｙとされる。また、中継芯４の中央部には、先筒２のバネ部２ｈ，２ｈが進入し軸線方向に係合するための凹部４ｃが円環状に形成される。
【００２０】
このような構成の中継芯４は、以下の引抜成形により成形される。具体的には、例えばナイロン繊維やポリエステル繊維等を集束し、この繊維束を、接着用樹脂を収容した槽に通過させることで繊維束に接着用樹脂を含浸させ、この接着用樹脂を含浸した繊維束を、断面円形の孔を有する型から引き抜き、丸棒状の成形品、すなわち多孔質繊維体を得る。ここで、繊維束の移動速度は、接着用樹脂が繊維束の軸心まで達せず所定の径までしか達しないように制御される。
【００２１】
次いで、接着用樹脂により丸棒状に固められた繊維束を、図４に示す形状となるように、例えばグラインダー等を用い研磨する。ここで、両端部を除く丸棒状の部分は、研磨しても接着用樹脂により固められた部分が残るため、硬い状態のままである。
【００２２】
一方、截頭円錐台部４ｙは後端に行くに従って細くなっていくため、截頭円錐台部４ｙの後端部４ｂ辺りでは接着用樹脂が削ぎ取られ、図６に示すように、若干繊維がばらけた状態となる。
【００２３】
また、扁平形状部４ｘは扁平のため、その先端部４ａでは、後端部４ｂと同様に接着用樹脂が削ぎ取られ若干繊維がばらけた状態となる。
【００２４】
次いで、先端部４ａに対して、ほぐし加工を行う。このほぐし加工では、多数の凹凸を外周面に有する硬度の高い歯車状の円板を用意する。具体的には、外周面に沿って細かい凹凸が連続して並設された円板を用意する。そして、回転する円板の外周面の凹凸に向かって先端部４ａを押し当て、先端部４ａをほぐす。このように研磨後にほぐし加工を施すことで、先端部４ａは、図５に示すように、ほぐされた状態となる。また、例えば、表面に多数の細かい凹凸が並設され長円軌道を移動する硬質ベルトを用意し、この移動するベルトの凹凸に向かって先端部４ａを押し当て、先端部４ａをほぐすようにしても良い。
【００２５】
そして、このような状態の中継芯４は、図３に示すように、その先端側から先筒２の筒孔内に内挿される。中継芯４及び先筒２の筒孔は扁平形状のため、中継芯４と先筒２は回転不能とされる。中継芯４が内挿された先筒２は、その円筒状の後半部２ａが、容器本体１の円筒状の先端部の筒内に圧入され、その段差部２ｃが容器本体１の先端面に突き当たり、容器本体１に装着される。
【００２６】
このとき、先筒２のバネ部２ｈの先端部外面が容器本体１の内周面に押されて内側に撓み、バネ部２ｈ，２ｈの先端部内側が中継芯４の凹部４ｃに進入し、中継芯４の後退が阻止されると共に、先筒２の段差部２ｇに中継芯４の段差部４ｄが突き当たり、中継芯４の前進が阻止される。すなわち、中継芯４は、先筒２に対して軸線方向移動不能に装着される。この状態で、中継芯４の後部側の部分は中綿３に差し込まれた状態となっている。
【００２７】
また、この状態で、中継芯４の先端部４ａは先筒２の先端内に位置し、円盤状の塗布体５の外周面５ｂは、中継芯４のほぐされた状態の先端部４ａへ進入し接触した状態にある。
【００２８】
このように構成された塗布体付き化粧料容器１００にあっては、中綿３に含浸された液状化粧料は、毛細管現象により中継芯４を通してその先端部４ａに送り出され、中継芯４の先端部４ａに接触している塗布体５の外周面５ｂに転写される。そして、使用者はキャップ１０を外し、塗布体５を被塗布部に当て容器を被塗布部に沿って移動させ塗布体５を回転させることにより、液状化粧料の線を描くことができる。
【００２９】
このとき、前述したように、中継芯４の塗布体５と接触する部分である先端部４ａは、ほぐされた状態となっている、具体的には、円盤状の塗布体５の回転を妨げない程度にほぐれており、且つ、塗布に十分な量の液状化粧料を塗布体５へ毛細管現象で送ることができる状態になっている。このため、本実施形態の塗布体付き化粧料容器１００によれば、塗布体５が良好に回転し綺麗な線を描くことができる。
【００３０】
ここで、中継芯４のほぐされた状態の先端部４ａの軸線方向長さ（ほぐされ長）は、１．５ｍｍ〜２．５ｍｍとするのが好ましい。
【００３１】
本発明者の実験によれば、中継芯４のほぐされた状態の先端部４ａの軸線方向長さを、１．５ｍｍ（実施例１）、２．０ｍｍ（実施例２）、２．５ｍｍ（実施例３）とした場合、塗布体５は良好に回転し、且つ、ほぐされた状態の先端部４ａの毛細管力により塗布に十分な量の液状化粧料を塗布体５へ送ることができる。一方、中継芯４のほぐされた状態の先端部４ａの軸線方向長さを、０．５ｍｍ（実施例４）、１．０ｍｍ（実施例５）とした場合、ほぐされた状態の先端部４ａの毛細管力は実施例１〜３とほぼ同様であるが、ほぐされた状態の先端部４ａの軸線方向長さが短いためこしが強く、塗布体５の回転は実施例１〜３よりもおちる。また、中継芯４のほぐされた状態の先端部４ａの軸線方向長さを、３．０ｍｍ（実施例６）、３．５ｍｍ（実施例７）とした場合、塗布体５は実施例１〜３とほぼ同様に回転するが、ほぐされた状態の先端部４ａの毛細管力は実施例１〜３よりも弱くなる。従って、中継芯４のほぐされた状態の先端部４ａの軸線方向長さは、１．５ｍｍ〜２．５ｍｍとするのが良い。
【００３２】
以上、本発明をその実施形態に基づき具体的に説明したが、本発明は上記実施形態に限定されるものではなく、例えば、上記実施形態においては、容器本体１と先筒２を別部品としているが、一体品の容器としても良い。
【００３３】
また、上記実施形態においては、液状化粧料を含浸した中綿３を容器本体１内に収容し、液状化粧料を中綿３から中継芯４を介して塗布体５に供給する中綿式を採用しているが、中綿３がなく液状化粧料を容器本体１内に直接充填し蛇腹構造により液状化粧料の流量をコントロールしながら中継芯４を介して塗布体５に供給する直液式を採用しても良い。
【００３４】
さらにまた、上記実施形態においては、特に好ましいとして、塗布体５を円盤状としているが、例えば球状に代え、この球状の塗布体を、円盤状の塗布体の場合と同様に、一軸を支点として回転可能に支持し、液状化粧料を球状の塗布体により被塗布部に塗布する場合にも適用可能である。
【符号の説明】
【００３５】
１…容器本体（容器）、２…先筒（容器）、２ｘ…出口、３…中綿、４…中継芯、４ａ…先端部（中継芯の塗布体と接触する部分）、５…塗布体、５ｂ…外周面、１００…塗布体付き化粧料容器。
【図１】
2018000610.tif 000003
【図２】
2018000610.tif 000004
【図３】
2018000610.tif 000005
【図４】
2018000610.tif 000006
【図５】
2018000610.tif 000007
【図６】
2018000610.tif 000008